(57)【要約】      （修正有）【課題】簡単かつ安全に電子化された発行情報の送受信を可能とする情報処理システムを提供する。【解決手段】病院のサーバ装置１は、利用者の携帯端末３の公開鍵を用いて、処方箋データを暗号化処理する暗号化部と、サーバ装置１が接続されるネットワークに携帯端末３が接続されている場合は、処方箋データを暗号化せずに携帯端末３に送信し、ネットワークに携帯端末３が接続されていない場合は、暗号化処理された処方箋データを携帯端末３に送信する処方箋送信部と、を有する。携帯端末３は、公開鍵をサーバ装置１に送信する携帯送信部と、サーバ装置１から送信された暗号化処理されていない処方箋データ又は暗号化処理された処方箋データを受信し、公開鍵とペアとなる秘密鍵を用いて、暗号化処理された処方箋データを復号化処理する処方箋受信部を有する。【選択図】図７
2017059913.tif 000002
【特許請求の範囲】
【請求項１】
少なくとも第１の機関の第１の機関端末装置及び前記第１の機関の利用者の利用者端末装置を含む情報処理システムであって、
前記第１の機関端末装置は、
前記利用者端末装置から取得した公開鍵を用いて、前記第１の機関が発行する発行情報を暗号化処理する第１の機関暗号化部と、
前記第１の機関端末装置が接続されるネットワークに前記利用者端末装置が接続されている場合は、前記発行情報を暗号化せずに前記利用者端末に送信し、前記ネットワークに前記利用者端末装置が接続されていない場合は、暗号化処理された前記発行情報を前記利用者端末装置に送信する第１の機関端末送信部と、を有し、
前記利用者端末装置は、
当該利用者端末装置の公開鍵を前記第１の機関端末装置に送信する利用者端末送信部と、
前記第１の機関端末装置から送信された暗号化処理されていない前記発行情報又は暗号化処理された前記発行情報を受信する利用者端末受信部と、
前記公開鍵とペアとなる秘密鍵を用いて、暗号化処理された前記発行情報を復号化処理する利用者端末復号化部と、を有すること
を特徴とする情報処理システム。
【請求項２】
第２の機関の第２の機関端末装置を含み、
前記第２の機関端末装置は、
前記利用者端末装置に対して、当該第２の機関端末装置の公開鍵を送信する第２の機関端末送信部と、
前記第１の機関端末装置により、前記第２の機関端末装置の公開鍵を用いて暗号化処理された前記発行情報を、前記第２の機関端末装置の公開鍵とペアとなる秘密鍵を用いて復号化処理する第２の機関復号化部と、
前記利用者端末装置に対して、前記第１の機関端末装置から前記発行情報を受信した旨の通知を行う通知部と、を備え、
前記利用者端末装置は、
前記第２の機関端末装置の前記公開鍵を取得する公開鍵取得部を、さらに備え、
前記利用者端末装置の利用者端末送信部は、前記利用者端末装置の公開鍵及び取得した前記第２の機関端末装置の公開鍵を、前記第１の機関端末装置に送信すること
を特徴とする請求項１に記載の情報処理システム。
【請求項３】
前記第１の機関端末装置は、前記ネットワークに前記利用者端末装置が接続されておらず、前記第２の機関端末装置が、前記発行情報の送信先に指定されている場合、前記第２の機関端末装置の公開鍵で前記発行情報を暗号化処理し、前記第２の機関端末装置に送信し、
前記第２の機関端末装置の前記第２の機関復号化部は、前記第２の機関端末装置の公開鍵とペアとなる秘密鍵を用いて、前記発行情報を復号化処理し、
前記第２の機関端末装置の前記通知部は、前記利用者端末装置に対して、前記第１の機関端末装置から前記発行情報を受信した旨の通知を行うこと
を特徴とする請求項２に記載の情報処理システム。
【請求項４】
少なくとも第１の機関の第１の機関端末装置、第２の機関の第２の機関端末装置、前記第１の機関の利用者の利用者端末装置、及び、前記第１の機関で発行された発行情報の中継を行う中継端末装置を含む情報処理システムであって、
前記第１の機関端末装置は、
前記中継端末装置の公開鍵を用いて、前記第１の機関が発行する発行情報を暗号化処理する第１の機関暗号化部と、
暗号化された前記発行情報を前記中継端末装置に送信する第１の機関送信部と、を備え、
前記利用者端末装置は、
前記第２の機関端末装置の公開鍵及び前記中継端末装置の公開鍵を取得する利用者端末取得部と、
前記第２の機関端末装置、前記中継端末装置及び当該利用者端末装置の公開鍵を前記中継端末装置及び前記第１の機関端末装置に送信する利用者端末送信部と、を備え、
前記中継端末装置は、
前記第１の機関端末装置から当該中継端末装置の公開鍵を用いて暗号化処理された前記発行情報を、当該中継端末装置の公開鍵とペアとなる秘密鍵を用いて復号化処理する中継端末復号化部と、
復号化処理した前記発行情報を、前記第２の機関端末装置の公開鍵を用いて暗号化処理する中継端末暗号化部と、
前記第２の機関端末装置の公開鍵を用いて暗号化処理された前記発行情報を、前記第２の機関端末装置に送信する中継端末送信部と、を備え、
前記第２の機関端末装置は、
前記第２の機関端末装置の公開鍵を用いて暗号化処理された前記発行情報を、前記第２の機関端末装置の公開鍵とペアとなる秘密鍵を用いて復号化処理する第２の機関復号化部と、
前記利用者端末装置に対して、前記中継端末装置から前記発行情報を受信した旨の通知を行う第２の機関通知部と、を備えること
を特徴とする情報処理システム。
【請求項５】
第１の機関で発行した発行情報を、前記第１の機関の利用者の利用者端末装置に送信する第１の機関端末装置であって、
前記利用者端末装置から取得した公開鍵を用いて、前記第１の機関が発行する発行情報を暗号化処理する第１の機関暗号化部と、
前記第１の機関端末装置が接続されるネットワークに前記利用者端末装置が接続されている場合は、前記発行情報を暗号化せずに前記利用者端末装置に送信し、前記ネットワークに前記利用者端末装置が接続されていない場合は、暗号化処理された前記発行情報を前記利用者端末装置に送信する第１の機関端末送信部と、
を有することを特徴とするサーバ装置。
【請求項６】
前記第１の機関端末送信部は、前記ネットワークに前記利用者端末装置が接続されておらず、第２の機関端末装置が、前記発行情報の送信先に指定されている場合、前記第２の機関端末装置の公開鍵で前記発行情報を暗号化処理し、前記第２の機関端末装置に送信すること
を特徴とする請求項５に記載のサーバ装置。
【請求項７】
コンピュータを、
利用者端末装置から取得した公開鍵を用いて、第１の機関が発行する発行情報を暗号化処理する暗号化部と、
前記第１の機関端末装置が接続されるネットワークに前記利用者端末装置が接続されている場合は、前記発行情報を暗号化せずに前記利用者端末に送信し、前記ネットワークに前記利用者端末装置が接続されていない場合は、暗号化処理された前記発行情報を前記利用者端末装置に送信する第１の機関端末送信部として機能させること、
を特徴とする情報処理プログラム。
【請求項８】
前記第１の機関端末送信部は、前記ネットワークに前記利用者端末装置が接続されておらず、第２の機関端末装置が、前記発行情報の送信先に指定されている場合、前記第２の機関端末装置の公開鍵で前記発行情報を暗号化処理し、前記第２の機関端末装置に送信すること
を特徴とする請求項７に記載の情報処理プログラム。
【発明の詳細な説明】
【技術分野】
【０００１】
本発明は、情報処理システム、サーバ装置及び情報処理プログラムに関する。
【背景技術】
【０００２】
今日において、医療機関で発行される処方箋等を電子データ化して薬局等に送信することで、安全に処方箋等の受け渡しを可能とする医療情報システムが知られている。また、特許文献１（特開２００２−２４５１６２号公報）には、医療業務の効率化、迅速化及び適確化の目的で、紙の処方箋に代えて電子化診察券に記録した処方箋ＩＤを用い、処方箋の電子的伝送を可能とし、また、診察予約を含む医療サービス業務を電子化するシステムが開示されている。
【発明の概要】
【発明が解決しようとする課題】
【０００３】
しかし、特許文献１に開示されているシステムを含め、従来の医療情報システムは、病院及び薬局間を、予めセキュアなネットワークで接続する必要がある。このため、システムの構築が面倒となる問題があった。
【０００４】
本発明は、上述の課題に鑑みてなされたものであり、簡単かつ安全に電子化された医療情報等の送受信を可能とする情報処理システム、サーバ装置及び情報処理プログラムの提供を目的とする。
【課題を解決するための手段】
【０００５】
上述した課題を解決し、目的を達成するために、本発明は、少なくとも第１の機関の第１の機関端末装置及び第１の機関の利用者の利用者端末装置を含む情報処理システムであって、第１の機関端末装置は、利用者端末装置から取得した公開鍵を用いて、第１の機関が発行する発行情報を暗号化処理する第１の機関暗号化部と、第１の機関端末装置が接続されるネットワークに利用者端末装置が接続されている場合は、発行情報を暗号化せずに利用者端末に送信し、ネットワークに利用者端末装置が接続されていない場合は、暗号化処理された発行情報を利用者端末装置に送信する第１の機関端末送信部と、を有し、利用者端末装置は、利用者端末装置の公開鍵を第１の機関端末装置に送信する利用者端末送信部と、第１の機関端末装置から送信された暗号化処理されていない発行情報又は暗号化処理された発行情報を受信する利用者端末受信部と、公開鍵とペアとなる秘密鍵を用いて、暗号化処理された発行情報を復号化処理する利用者端末復号化部と、を有する。
【発明の効果】
【０００６】
本発明によれば、簡単かつ安全に電子化された医療情報等の送受信を可能とする情報処理システムを構築可能とする効果を奏する。
【図面の簡単な説明】
【０００７】
【図１】図１は、第１の実施の形態となる医療情報処理システムのシステム構成図である。
【図２】図２は、病院のサーバ装置（及び薬局の端末装置）のハードウェア構成図である。
【図３】図３は、携帯端末のハードウェア構成図である。
【図４】図４は、病院のサーバ装置のＣＰＵが医療処理プログラムを実行することで実現される各機能の機能ブロック図である。
【図５】図５は、各薬局に設けられた端末装置のＣＰＵが医療処理プログラムを実行することで実現される各機能の機能ブロック図である。
【図６】図６は、各患者が所有する携帯端末のＣＰＵが医療処理プログラムを実行することで実現される各機能の機能ブロック図である。
【図７】図７は、所定のネットワーク内に位置する携帯端末が、病院のサーバ装置及び薬局の端末装置の間で行う通信の流れを示すシーケンス図である。
【図８】図８は、携帯端末の画面例を示す図である。
【図９】図９は、携帯端末を薬局の端末装置に登録する際における、携帯端末の画面例を示す図である。
【図１０】図１０は、携帯端末を病院のサーバ装置に登録する際における、携帯端末の画面例を示す図である。
【図１１】図１１は、携帯端末が所定のネットワーク外に位置する際に、病院からの通知の処理を選択する選択画面を示す図である。
【図１２】図１２は、病院から処方箋を受け取った薬局から携帯端末に通知が行われた際の通知画面を示す図である。
【図１３】図１３は、病院から処方箋を受け取った薬局から携帯端末に通知された、薬の準備完了(調剤完了)の通知画面を示す図である。
【図１４】図１４は、病院の無線ＬＡＮ外に位置する携帯端末が、病院のサーバ装置及び薬局の端末装置の間で行う通信の流れを示すシーケンス図である。
【図１５】図１５は、病院の無線ＬＡＮ内に位置する携帯端末が、処方箋データの受け取り形態を選択するための選択画面を示す図である。
【図１６】図１６は、処方箋データのメール受け取り結果表示の画面例を示す図である。
【図１７】図１７は、病院で作成された処方箋データを、携帯端末から所望の薬局に送信する流れを示すシーケンス図である。
【図１８】図１８は、病院から処方箋データを受け取った携帯端末の受け取り通知画面を示す図である。
【図１９】図１９は、携帯端末が位置する無線ＬＡＮ内の薬局の選択画面を示す図である。
【図２０】図２０は、薬局に送信する処方箋データの選択画面を示す図である。
【図２１】図２１は、選択した薬局に対して、選択した処方箋データを送信するための操作画面を示す図である。
【図２２】図２２は、第２の実施の形態の医療情報処理システムのシステム構成図である。
【図２３】図２３は、クラウドサーバ装置のハードウェア構成図である。
【図２４】図２４は、第２の実施の形態の医療情報処理システムに設けられている病院側のサーバ装置の機能ブロック図である。
【図２５】図２５は、クラウドサーバ装置の機能ブロック図である。
【図２６】図２６は、クラウドサーバ装置経由で薬局の端末装置に処方箋データを送信する流れを示すシーケンス図である。
【図２７】図２７は、クラウドサーバ装置の選択画面を示す図である。
【図２８】図２８は、クラウドサーバ装置の登録確認画面を示す図である。
【図２９】図２９は、処方箋データの送信先の選択画面を示す図である。
【図３０】図３０は、クラウドサーバ装置に依頼する処方箋データの送信先となる薬局の選択画面を示す図である。
【図３１】図３１は、処方箋データの送信を依頼するクラウドサーバ装置の確認画面を示す図である。
【図３２】図３２は、クラウドサーバ装置から処方箋データが送信される薬局の確認画面を示す図である。
【発明を実施するための形態】
【０００８】
以下、添付図面を参照して、実施の形態を詳細に説明する。
【０００９】
（第１の実施の形態）
図１は、第１の実施の形態となる医療情報処理システムのシステム構成図である。この図１に示すように、第１の機関の一例である病院側に設けられた第１の機関端末装置の一例であるサーバ装置１、第２の機関の一例である薬局側に設けられた端末装置２Ａ，２Ｂ、及び、患者（利用者）が所有する携帯端末３を有している。病院は、第１の機関の一例である。サーバ装置１は、第１の機関端末装置の一例である。携帯端末３は、利用者端末装置の一例である。なお、サーバ装置１〜携帯端末３は、複数でもよいし、単数でもよい。また、この例の場合、２つの薬局が存在し、各薬局には、端末装置２Ａ又は端末装置２Ｂのうち、いずれかの端末装置が設けられているが、説明上、区別する必要がない場合は、「端末装置２」として説明する。
【００１０】
各患者の処方箋を発行する病院のサーバ装置１は、例えばインターネット４等のＷＡＮ(Wide Area Network)を介して、処方箋に従って調剤する薬局の端末装置２Ａ，２Ｂと接続されている。また、病院のサーバ装置１及び薬局の端末装置２Ａ，２Ｂは、無線ＬＡＮアクセスポイントを備え、患者の持つ携帯端末３と無線通信が可能となっている。
【００１１】
図２は、病院のサーバ装置１（及び薬局の端末装置２）のハードウェア構成図である。この図２に示すように、サーバ装置１は、ＣＰＵ１１、ＲＯＭ１２、ＲＡＭ１３、無線通信Ｉ／Ｆ（インタフェース）１４、入出力Ｉ／Ｆ１５、ＨＤＤ（ハードディスクドライブ）１６、及び、通信Ｉ／Ｆ１７を備える。ＣＰＵ１１〜通信Ｉ／Ｆ１７は、システムバス１８を介して相互に接続されている。入出力Ｉ／Ｆ１５には、キーボード１９、マウス装置２０及びＬＣＤ（液晶表示装置）２１が接続されている。すなわち、病院のサーバ装置１（及び薬局の端末装置２）は、一般的なコンピュータ装置の構成を有している。
【００１２】
ＨＤＤ１６には、情報処理プログラムの一例である医療処理プログラムが記憶されている。ＣＰＵ１１は、この医療処理プログラムを実行することで、後述するように発行情報の一例である処方箋データ等を、病院、薬局及び患者の間でセキュアに送受信可能とする。
【００１３】
図３は、携帯端末３のハードウェア構成図である。この図３に示すように、携帯端末３は、ＣＰＵ３１、ＲＯＭ３２、ＲＡＭ３３、無線通信Ｉ／Ｆ（インタフェース）３４、入出力Ｉ／Ｆ３５を備える。ＣＰＵ３１〜入出力Ｉ／Ｆ３５は、システムバス３６を介して相互に接続されている。入出力Ｉ／Ｆ３５には、タッチパネル３７、ＬＣＤ（液晶表示装置）３８、及び、操作ボタン３９が接続されている。
【００１４】
ＲＡＭ３３には、情報処理プログラムの一例である医療処理プログラムが記憶されている。ＣＰＵ３１は、この医療処理プログラムを実行することで、後述するように処方箋データ等を、病院、薬局及び患者の間でセキュアに送受信可能とする。
【００１５】
図４は、病院のサーバ装置１のＣＰＵ１１が医療処理プログラムを実行することで実現される各機能の機能ブロック図である。この図４に示すように、ＣＰＵ１１が医療処理プログラムを実行することで、携帯登録部４０、携帯検出部４１、携帯識別部４２、端末受信部４３、処方箋登録部４４、暗号化部４５及び処方箋送信部４６を実現する。なお、ＣＰＵ１１が医療処理プログラムを実行することで、各患者の携帯端末情報、各薬局の端末情報及び各患者の処方箋データが、ＨＤＤ１６を介して取り扱われる。
【００１６】
携帯登録部４０は、各患者の携帯端末情報をＨＤＤ１６に登録（記憶）する。携帯検出部４１は、外部からの携帯端末情報を受信して携帯端末３を検出する。携帯識別部４２は、検出された携帯端末情報に基づいて、ＨＤＤ１６に記憶されている携帯端末情報を参照し、携帯端末３を識別する。
【００１７】
端末受信部４３は、各薬局の端末装置２の端末情報を受信してＨＤＤ１６に記憶する。処方箋登録部４４は、処方箋データをＨＤＤ１６に記憶する。暗号化部４５は、機関暗号化部の一例であり、ＨＤＤ１６から読み出した処方箋データを、端末装置２の公開鍵を用いて暗号化処理する。第１の機関端末送信部の一例である処方箋送信部４６は、暗号化された処方箋データを、ＨＤＤ１６から読み出した薬局の送信先に送信する。また、処方箋送信部４６は、送信結果をＨＤＤ１６から読み出した患者の送信先に送信する。
【００１８】
この例では、携帯登録部４０〜処方箋送信部４６は、医療処理プログラムにより、ソフトウェアで実現されることとして説明を進める。しかし、携帯登録部４０〜処方箋送信部４６のうち、一部又は全部を、ＩＣ（Integrated  Circuit）等のハードウェアで実現してもよい。
【００１９】
また、サーバ装置１で実行される医療処理プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disk」の略記である。また、サーバ装置１で実行される医療処理プログラムは、インターネット等のネットワーク経由でインストールするかたちで提供してもよい。また、サーバ装置１で実行される医療処理プログラムは、機器内のＲＯＭ等に予め組み込んで提供してもよい。
【００２０】
図５は、各薬局に設けられた端末装置２のＣＰＵ１１が情報処理プログラムの一例である医療処理プログラムを実行することで実現される各機能の機能ブロック図である。この図５に示すように、ＣＰＵ１１が医療処理プログラムを実行することで、携帯登録部５１、携帯検出部５２、携帯識別部５３、端末送信部５４、処方箋受信部５５、処方箋復号部５６及び処方箋登録部５７を実現する。なお、ＣＰＵ１１が医療処理プログラムを実行することで、各患者の携帯端末情報及び各患者の処方箋データが、ＨＤＤ１６を介して取り扱われる。
【００２１】
携帯登録部５１は、端末装置２が有する情報(薬局の電話番号、メールアドレス、端末装置の公開鍵)を送信する。携帯検出部５２は、外部からの携帯端末情報を受信して携帯端末を検出する。携帯識別部５３は、検出した携帯端末情報に基づいて、ＨＤＤ１６に記憶されている携帯端末情報を参照することで、検出した携帯端末３を識別する。処方箋受信部５５は、処方箋データ及び外部からの暗号化された処方箋データを受信する。第２の機関復号化部の一例である処方箋復号部５６は、暗号化された処方箋データを受信した際に、端末装置の秘密鍵で復号化処理する。処方箋登録部５７は、復号化処理された処方箋データをＨＤＤ１６に登録（記憶）する。
【００２２】
この例では、携帯登録部５１〜処方箋登録部５７は、医療処理プログラムにより、ソフトウェアで実現されることとして説明を進める。しかし、携帯登録部５１〜処方箋登録部５７のうち、一部又は全部を、ＩＣ（Integrated  Circuit）等のハードウェアで実現してもよい。
【００２３】
また、端末装置２で実行される医療処理プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disk」の略記である。また、端末装置２で実行される医療処理プログラムは、インターネット等のネットワーク経由でインストールするかたちで提供してもよい。また、端末装置２で実行される医療処理プログラムは、機器内のＲＯＭ等に予め組み込んで提供してもよい。
【００２４】
図６は、各患者が所有する携帯端末３のＣＰＵ３１が医療処理プログラムを実行することで実現される各機能の機能ブロック図である。この図６に示すように、ＣＰＵ３１が医療処理プログラムを実行することで、携帯送信部６１、端末受信部６２、端末送信部６３、処方箋受信部６４及び処方箋送信部６５を実現する。なお、ＣＰＵ３１が医療処理プログラムを実行することで、各薬局の端末装置情報及び携帯端３の所有者となる患者の処方箋データが、ＲＡＭ３３を介して取り扱われる。
【００２５】
利用者端末送信部の一例である携帯送信部６１は、例えば携帯端末の電話番号又はメールアドレス等の、携帯端末３を特定するための情報を送信する。利用者端末受信部の一例である端末受信部６２は、外部からの端末装置情報を受信してＲＡＭ３３に記憶する。また、公開鍵取得部の一例でもある端末受信部６２は、薬局の端末装置２から公開鍵を取得してＲＡＭ３３に記憶する。端末送信部６３は、ＲＡＭ３３から端末装置情報を読み出して外部に送信する。利用者端末復号化部の一例である処方箋受信部６４は、病院のサーバ装置１から送信された暗号化処理されていない処方箋データ又は暗号化処理された処方箋データを受信してＲＡＭ３３に記憶する。また、処方箋受信部６４は、暗号化処理された処方箋データを受信した場合、病院のサーバ装置１の公開鍵とペアとなる秘密鍵を用いて、受信した処方箋データを復号化処理する。処方箋送信部６５は、ＲＡＭ３３から処方箋データを読み出して外部に送信する。
【００２６】
この例では、携帯送信部６１〜処方箋送信部６５は、医療処理プログラムにより、ソフトウェアで実現されることとして説明を進める。しかし、携帯送信部６１〜処方箋送信部６５のうち、一部又は全部を、ＩＣ（Integrated  Circuit）等のハードウェアで実現してもよい。
【００２７】
また、携帯端末３で実行される医療処理プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disk」の略記である。また、携帯端末３で実行される医療処理プログラムは、インターネット等のネットワーク経由でインストールするかたちで提供してもよい。また、携帯端末３で実行される医療処理プログラムは、機器内のＲＯＭ等に予め組み込んで提供してもよい。
【００２８】
（携帯端末が病院の無線ＬＡＮ内に位置する場合の動作）
図７は、所定のネットワーク内に位置する携帯端末３が、病院のサーバ装置１及び薬局の端末装置２の間で行う通信の流れを示すシーケンス図である。図８は、携帯端末３の画面例を示す図である。図９は、携帯端末３を薬局Ａの端末装置２Ａに登録する際における、携帯端末３の画面例を示す図である。図１０は、携帯端末３を病院のサーバ装置１に登録する際における、携帯端末３の画面例を示す図である。図１１は、携帯端末３が所定のネットワーク外に位置する際に、病院からの通知の処理を選択する選択画面を示す図である。図１２は、病院から処方箋を受け取った薬局Ａから携帯端末３に通知が行われた際の通知画面を示す図である。図１３は、病院から処方箋を受け取った薬局Ａから携帯端末３に通知された、薬の準備ができたことを示す(調剤完了)通知画面の図である。
【００２９】
このような図７〜図１３を用いて、所定のネットワーク内に位置する携帯端末３が、病院のサーバ装置１及び薬局の端末装置２の間で行う通信の流れを説明する。患者は、まず、薬局Ａ及び薬局Ｂと携帯端末３との間で、互いの情報を登録する（ステップＳ１〜ステップＳ４、ステップＳ５〜ステップＳ８）。
【００３０】
すなわち、患者が、例えば図８に示す処方箋アプリを起動操作すると、携帯端末３のＣＰＵ３１は、ＲＡＭ３３に記憶されている医療処理プログラム（＝処方箋アプリ）を起動する。薬局Ａの端末装置２Ａは、携帯端末３が無線ＬＡＮ内に位置すると、薬局Ａの端末装置情報を携帯端末３に送信する。端末装置情報を受信した携帯端末３の端末受信部６２は、薬局Ａの端末装置２Ａに対する携帯端末３の登録の是非を選択させるための選択画面をＬＣＤ３８に表示する。患者が「登録する」のボタンを選択操作すると、携帯送信部６１は、薬局Ａの端末装置２Ａに、携帯端末情報(電話番号、メールアドレス)を送信する。
【００３１】
薬局Ａの端末装置２Ａの携帯登録部５１は、携帯端末３の端末装置情報(電話番号、メールアドレス、公開鍵)をＨＤＤ１６に登録する。また、薬局Ａの端末装置２Ａの端末送信部５４は、薬局Ａの電話番号、メールアドレス及び公開鍵等の端末装置情報を、携帯端末３に送信する。また、通知部の一例である端末送信部５４は、病院のサーバ装置１から処方箋データを受信した旨を、対応する携帯端末３に通知する。携帯端末３の端末受信部４３は、薬局Ａの端末装置情報を受信し、ＨＤＤ１６に登録する。端末装置２の公開鍵は、ＲＳＡ（Rivest  Shamir  Adleman）等の非対称鍵暗号化処理に用いる公開鍵及び秘密鍵のペアを予め生成しておき、端末装置２が記憶しておく。
【００３２】
次に、患者が病院で診療を受ける際等に、患者の携帯端末３が無線ＬＡＮ内に位置すると、病院のサーバ装置１のサーバ情報を携帯端末３に通知する。携帯端末３及びサーバ装置１は、互いの情報を交換して登録する。すなわち、サーバ装置１からサーバ情報を受信した携帯端末３のＣＰＵ３１は、病院のサーバ装置１に対する携帯端末３の登録の是非を選択するための、例えば図１０に示す選択画面をＬＣＤ３８に表示する。患者により、「登録する」のボタンが選択操作されると、携帯送信部６１は、上述の携帯端末情報(電話番号、メールアドレス)、及び、登録済みの薬局Ａ及び薬局Ｂから取得した各薬局Ａ，Ｂの端末装置情報(電話番号、メールアドレス、公開鍵)を、病院のサーバ装置１に送信する。
【００３３】
また、携帯端末３のＣＰＵ３１は、携帯端末３が病院の無線ＬＡＮ外である場合に（不在時に）、病院からの通知の処理を選択するための、例えば図１１に示す選択画面をＬＣＤ３８に表示する。図１１に示す「薬局Ａに送信する」のボタンは、携帯端末３が病院の無線ＬＡＮ外である場合に、病院からの通知の送信先を薬局Ａへとする際に選択操作するボタンである。「薬局Ｂに送信する」のボタンは、携帯端末３が病院の無線ＬＡＮ外である場合に、病院からの通知の送信先を薬局Ｂへとする際に選択操作するボタンである。「メールを受け取る」のボタンは、携帯端末３が病院の無線ＬＡＮ外である場合に、病院からの通知を電子メールで受け取る際に選択操作するボタンである。携帯送信部６１は、患者により選択された不在時の処理を示す不在時情報も、上述の携帯端末情報に含めて病院のサーバ装置１に送信する（ステップＳ９、ステップＳ１１）。病院のサーバ装置１の携帯登録部４０は、携帯端末３から受信した携帯端末情報をＨＤＤに登録する（ステップＳ１０、ステップＳ１２）。
【００３４】
病院のサーバ装置１に登録される、携帯端末３が病院の無線ＬＡＮ外である場合に（不在時に）、病院からの通知の転送先となる薬局を示す主な情報を、以下の表１に示す。
【００３５】
【表１】
2017059913.tif 000003
【００３６】
この表１に示すように、病院のサーバ装置１には、例えばＡ００１、Ａ００２等の各携帯端末３の識別情報と、薬局Ａ，薬局Ｂ等の各携帯端末３が登録している薬局を示す情報と、各薬局の公開鍵、及び、通知フラグ等が記憶される。この表１は、「Ａ００１」の携帯端末３の場合、薬局Ａ及び薬局Ｂを登録しており、病院の無線ＬＡＮ外である場合は（不在時に）、通知フラグが「１」となっている薬局Ａに、病院からの通知の転送を希望していることを示している。同様に、「Ａ００２」の携帯端末３の場合、薬局Ａ及び薬局Ｃを登録しており、病院の無線ＬＡＮ外である場合は（不在時に）、通知フラグが「１」となっている薬局Ｃに、病院からの通知の転送を希望していることを示している。
【００３７】
次に、病院での診療後に、医師により発行された処方箋がサーバ装置１に登録されると（ステップＳ１３）、サーバ装置１は、患者の携帯端末３が無線ＬＡＮ内に存在するか否かの確認を行う（ステップＳ１４）。患者の携帯端末３が無線ＬＡＮ内に存在する場合、サーバ装置１は、携帯端末３により予め指定された薬局に対して、処方箋データの通知を行うか否かの問い合わせ、及び、指定された薬局が複数存在する場合、どの薬局に処方箋データの通知を行うかの問い合わせを行う（ステップＳ１５、ステップＳ１７）。
【００３８】
携帯端末３から処方箋データの通知を行う旨、及び、処方箋データを通知する薬局を指定する回答が得られた場合（ステップＳ１５、ステップＳ１７）、サーバ装置１は、指定された薬局の公開鍵で処方箋データを暗号化処理する（ステップＳ１９）。そして、サーバ装置１は、指定された薬局の端末装置２に暗号化処理した処方箋データを送信する（ステップＳ２０）。また、サーバ装置１は、指定された薬局に対して、処方箋データを送信した旨の結果通知を携帯端末３に送信する（ステップＳ２１）。例えば、患者から、薬局Ａに対して処方箋データを送信する旨の回答が得られた場合、病院のサーバ装置１は、薬局Ａの公開鍵を用いて処方箋データを暗号化処理し、薬局Ａの端末装置２Ａへ送信する。また、サーバ装置１は、薬局Ａに対して処方箋データを送信した旨の結果通知を携帯端末３に送信する。
【００３９】
なお、携帯端末３が、病院のサーバ装置１の無線ＬＡＮ内に位置し、当該携帯端末３で処方箋データを受け取る旨の回答が得られた場合、病院のサーバ装置１は、処方箋データを暗号化することなく、携帯端末３に送信する。病院の無線ＬＡＮは、セキュアなネットワークである。このため、処方箋データを暗号化せずに携帯端末３に送信しても、携帯端末３に対して安全に処方箋データを送信できる。
【００４０】
薬局の端末装置２の処方箋受信部５５は、病院のサーバ装置１からの暗号化処理された処方箋データを受信する。そして、処方箋復号部５６が、秘密鍵を用いて処方箋データをで復号化処理し（ステップＳ２２）、処方箋登録部５７が、復号化処理した処方箋データをＨＤＤ１６に登録する（ステップＳ２３）。また、薬局の端末装置２は、病院から処方箋データを受け取った旨の通知を患者の携帯端末３に行う。このとき、薬局の端末装置２から患者の携帯端末３に対して、図１２に示すように調剤の完了する予定時刻を通知してもよい。また、図１３に示すように、調剤が完了した旨及び薬の受け取り可能期間等を通知してもよい。
【００４１】
（携帯端末が病院の無線ＬＡＮ外に位置する場合の動作）
図１４は、病院の無線ＬＡＮ外に位置する携帯端末３が、病院のサーバ装置１及び薬局の端末装置２の間で行う通信の流れを示すシーケンス図である。図１５は、病院の無線ＬＡＮ内に位置する携帯端末３が、処方箋データの受け取り形態を選択するための選択画面を示す図である。図１６は、処方箋データのメール受け取り結果表示の画面例を示す図である。
【００４２】
図１４のシーケンス図において、ステップＳ１〜ステップＳ１４及びステップＳ２２〜ステップＳ２４は、図７のシーケンス図で説明したとおりである。図７における同じステップ番号の説明を参照されたい。
【００４３】
図１４のシーケンス図のステップＳ１４において、処方箋データを生成した病院のサーバ装置１が、病院の無線ＬＡＮ内に携帯端末３が存在しないと判別した場合、サーバ装置１は、患者の携帯端末３のメールアドレス宛てに、例えば図１５に示す処方箋データの受け取り形態の選択画面の情報を送信する。
【００４４】
患者は、携帯端末３を介して、処方箋データの所望の受け取り形態を選択し、病院のサーバ装置１に返信する。患者により、例えば薬局Ａで処方箋データを受け取る、受け取り形態が選択された場合、サーバ装置１は、薬局Ａの公開鍵で処方箋データを暗号化処理し（ステップＳ３１）、薬局Ａの端末装置２Ａに送信する（ステップＳ３２）。また、薬局Ａ（又は薬局Ｂ）で処方箋データの受け取りが選択された場合、サーバ装置１は、図１６に示す処方箋が用意できた旨の通知を、携帯端末３に送信する。
【００４５】
患者により、薬局Ｂで処方箋データを受け取る受け取り形態が選択されている場合、サーバ装置１は、薬局Ｂの公開鍵で処方箋データを暗号化処理し、薬局Ｂの端末装置２Ｂに送信する。患者により、患者の携帯端末３で処方箋データを受け取る受け取り形態が選択されている場合、サーバ装置１は、患者の携帯端末３の公開鍵で処方箋データを暗号化処理し、無線ＬＡＮを介して患者の携帯端末３に送信する。薬局Ａ、薬局Ｂ又は携帯端末３は、暗号化されている処方箋データを秘密鍵で復号化してＨＤＤ１６又はＲＡＭ３３等に記憶する（ステップＳ２２〜ステップＳ２３）。
【００４６】
（携帯端末が薬局の無線ＬＡＮ内に位置する場合の動作）
図１７は、病院で作成された処方箋データを、携帯端末３から所望の薬局に送信する流れを示すシーケンス図である。図１８は、病院から処方箋データを受け取った携帯端末３の受け取り通知画面を示す図である。図１９は、携帯端末３が位置する無線ＬＡＮ内の薬局の選択画面を示す図である。図２０は、薬局に送信する処方箋データの選択画面を示す図である。図２１は、選択した薬局に対して、選択した処方箋データを送信するための操作画面を示す図である。
【００４７】
図１７のシーケンス図において、ステップＳ１〜ステップＳ１４は、図７のシーケンス図で説明したとおりである。図７における同じステップ番号の説明を参照されたい。
【００４８】
まず、図１５を用いて説明したように、病院側で患者の処方箋を作成し、病院の無線ＬＡＮ内に位置する患者の携帯端末３に対して、処方箋の受け取り形態の問い合わせを行う（ステップＳ１５）。患者は、病院側から薬局に対する処方箋データの直接送信を希望する場合は、薬局Ａ又は薬局Ｂ等の所望の薬局を、図１５を用いて説明した選択画面を介して病院側に指定する。これにより、病院側のサーバ装置１は、指定された薬局の公開鍵を用いて処方箋データを暗号化処理し、指定された薬局に送信する。
【００４９】
これに対して、処方箋データを一旦、携帯端末３で受け取り、携帯端末３から所望の薬局に処方箋データを転送したい場合、患者は、上述の病院側からの処方箋の受け取り形態の問い合わせ（ステップＳ１５）に対して、「スマートフォンで受け取る」との受け取り形態を選択する（ステップＳ３５）。この選択がされると、病院のサーバ装置１は、患者の携帯端末３の公開鍵を用いて処方箋データを暗号化処理し、携帯端末３に送信する（ステップＳ３６）。携帯端末３の処方箋受信部６４は、受信した処方箋データを秘密鍵で復号化処理し、ＲＡＭ３３に一旦記憶する。
【００５０】
次に、患者が病院から例えば薬局の無線ＬＡＮ内に移動すると、ステップＳ３７〜ステップＳ４２に示すように、携帯端末３のＣＰＵ３１は薬局の端末装置２との間で無線ＬＡＮ通信接続を行う。図１７の例は、薬局Ａの端末装置２Ａ及び薬局Ｂの端末装置２Ｂとの間で、それぞれ無線ＬＡＮ通信接続を行った例である。携帯端末３のＣＰＵ３１は、無線ＬＡＮ通信接続を行った端末装置に対応する薬局を、図１９に示すように一覧表示する。図１９の例は、薬局Ａ及び薬局Ｂとの間で無線ＬＡＮ通信接続が行われた例である。患者は、薬局の一覧の中から、病院から受信した処方箋データを転送する薬局を選択する（ステップＳ４３）。
【００５１】
処方箋データを転送する薬局が選択されると、携帯端末３のＣＰＵ３１は、図２０に示すように、転送する処方箋データの選択画面を表示する。図２０の例は、２つの病院からの処方箋データが、ＲＡＭ３３に記憶されている例である。患者は、このような処方箋データの一覧の中から、転送する処方箋データを選択する。
【００５２】
次に、携帯端末３のＣＰＵ３１は、図２１に示すように、患者により選択された病院及び処方箋データの確認表示と共に、送信ボタンをＬＣＤ３８に表示する。図２１の例は、処方箋データの転送先として病院Ａが選択されており、また、転送する処方箋データとして、ＯＯ病院から受信した処方箋データが選択されている例を示している。患者は、表示内容を確認のうえ、送信ボタンを操作する。携帯端末３の携帯送信部６１は、操作ボタンが操作されると、選択された薬局の端末装置２に対して、選択された処方箋データを送信する（ステップＳ４４）。
【００５３】
例えば、薬局Ａに処方箋データが送信された場合、薬局Ａの端末装置２Ａは、処方箋データをＨＤＤ１６に登録し（ステップＳ４５）、例えば図１８と同様の処方箋の受け取り通知を携帯端末３に送信する。
【００５４】
以上の説明から明らかなように、第１の実施の形態の医療情報処理システムは、病院のサーバ装置１が、患者の携帯端末３の携帯端末情報(電話番号、メールアドレス)、及び、各薬局の端末装置情報(電話番号、メールアドレス、公開鍵)を取得する。病院のサーバ装置１は、病院のネットワークに患者の携帯端末３が接続されている際に、患者の携帯端末３に患者の公開鍵で暗号化した処方箋データを送信する。また、病院のサーバ装置１は、患者の携帯端末３が、病院のサーバ装置１に接続されていないときには、患者により予め指定された薬局の端末装置２に、薬局の公開鍵で暗号化した処方箋データを送信する。これにより、病院、薬局及び患者の各端末の間でセキュアなネットワークを構築することなく、病院、薬局及び患者の各端末の間で簡単かつ安全に処方箋データの受け渡しを可能とすることができる。
【００５５】
（第２の実施の形態）
次に、第２の実施の形態の医療情報処理システムの説明をする。この第２の実施の形態の医療情報処理システムは、インターネット等の所定のネットワークに接続されているクラウドサーバ装置を介して処方箋データの送受信を行うシステムである。すなわち、クラウドサーバ装置が、送受信される処方箋データの中継を行うシステムとなっている。なお、上述の第１の実施の形態に対して、クラウドサーバ装置を介して処方箋データの送受信を行う点のみが異なる。このため、以下、両者の差異の説明のみ行い、重複した説明は省略する。
【００５６】
図２２は、第２の実施の形態の医療情報処理システムのシステム構成図である。この図２２に示すように、第２の実施の形態の場合、ネットワーク４に接続されたクラウドサーバ装置７０を、さらに備えている。クラウドサーバ装置７０は、中継端末装置の一例である。
【００５７】
図２３は、クラウドサーバ装置７０のハードウェア構成図である。この図２３に示すように、クラウドサーバ装置７０は、ＣＰＵ７１、ＲＯＭ７２、ＲＡＭ７３、入出力Ｉ／Ｆ７４、ＨＤＤ（ハードディスクドライブ）７５、及び、通信Ｉ／Ｆ７６を備える。ＣＰＵ７１〜通信Ｉ／Ｆ７６は、システムバス７７を介して相互に接続されている。入出力Ｉ／Ｆ７４には、キーボード７７、マウス装置７９及びＬＣＤ７８が接続されている。
【００５８】
ＨＤＤ１６には、医療処理プログラムが記憶されている。ＣＰＵ７１は、この医療処理プログラムを実行することで、後述するように処方箋データ等を、病院、薬局及び患者の間でセキュアに送受信可能とする。
【００５９】
図２４は、第２の実施の形態の医療情報処理システムに設けられている病院側のサーバ装置１の機能ブロック図である。第２の実施の形態におけるサーバ装置１の場合、図２４に示すように、上述の携帯登録部４０〜処方箋送信部４６と共に、クラウド情報受信部８０を、さらに備えている。処方箋送信部４６は、第１の機関送信部の一例である。
【００６０】
図２５は、クラウドサーバ装置７０の機能ブロック図である。クラウドサーバ装置７０のＣＰＵ７１は、ＨＤＤ７５に記憶されている医療処理プログラムを実行することで、この図２５に示す処方箋受信部８１、処方箋復号部８２として機能する。処方箋復号部８２は、中継端末復号化部の一例である。また、ＣＰＵ７１は、医療処理プログラムを実行することで、処方箋暗号化部８３、処方箋送信部８４、携帯受信部８５及び端末受信部８６として機能する。処方箋暗号化部８３は、中継端末暗号化部の一例である。端末受信部８６は、中継端末送信部の一例である。
【００６１】
処方箋受信部８１は、外部からの暗号化された処方箋データを受信する。処方箋復号部８２は、受信した処方箋データを、クラウドサーバ装置７０の秘密鍵で復号化処理し、ＨＤＤ７５に記憶する。処方箋暗号化部８３は、ＨＤＤ７５から読み出した処方箋データを、薬局の端末装置２の公開鍵で暗号化処理する。処方箋送信部８４は、暗号化された処方箋データを所定の薬局に送信し、送信結果を患者の携帯端末３に送信する。携帯受信部８５は、外部からの携帯端末情報を受信してＨＤＤ７５に保存する。端末受信部８６は、薬局の端末装置２の端末装置情報を受信してＨＤＤ７５に保存する。
【００６２】
図２６は、クラウドサーバ装置７０経由で薬局Ａの端末装置２Ａに処方箋データを送信する流れを示すシーケンス図である。図２７は、クラウドサーバ装置７０の選択画面を示す図である。図２８は、クラウドサーバ装置７０の登録確認画面を示す図である。図２９は、処方箋データの送信先の選択画面を示す図である。図３０は、クラウドサーバ装置７０に依頼する処方箋データの送信先となる薬局の選択画面を示す図である。図３１は、処方箋データの送信を依頼するクラウドサーバ装置７０の確認画面を示す図である。図３２は、クラウドサーバ装置７０から処方箋データが送信される薬局の確認画面を示す図である。
【００６３】
クラウドサーバ装置７０で所望の薬局に処方箋データを送信する場合、まず、使用するクラウドサーバ装置７０の登録を行う。すなわち、患者が携帯端末３を操作して、クラウドサーバ装置７０の登録を指定すると、ＣＰＵ３１は、図２７に示すクラウドサーバ装置７０の登録画面をＬＣＤ３８に表示制御する。患者は、この登録画面に一覧表示されているクラウドサーバ装置７０の中から、所望のクラウドサーバ装置７０を選択操作する。携帯端末３のＣＰＵ３１は、所望のクラウドサーバ装置７０が選択されると、図２８に示す登録確認画面を表示する。患者により、登録確認画面の登録指示ボタンが操作されると、ＣＰＵ３１は、図２６のシーケンス図のステップＳ９において、クラウドサーバ装置７０に対して、患者の携帯端末３の携帯端末情報(電話番号、メールアドレス)、及び、各薬局（Ａ，Ｂ）の端末装置情報(電話番号、メールアドレス、公開鍵)を通知する。クラウドサーバ装置７０の携帯受信部８５は、携帯端末３から通知された携帯端末情報をＨＤＤ７５に記憶する（ステップＳ５１）。また、クラウドサーバ装置７０の端末受信部８６は、携帯端末３から通知された端末装置情報をＨＤＤ７５に記憶する（ステップＳ５１）。
【００６４】
クラウドサーバ装置７０は、携帯端末情報及び端末装置情報を記憶すると、クラウドサーバ情報（連絡先及び公開鍵）を携帯端末３に送信する（ステップＳ５２）。携帯端末３の端末受信部６２は、クラウドサーバ情報をＲＡＭ２３に記憶する（ステップＳ５３）。端末受信部６２は、は、利用者端末取得部の一例である。
【００６５】
また、携帯端末３のＣＰＵ３１は、クラウドサーバ情報を病院のサーバ装置１に送信する（ステップＳ５４）。病院のサーバ装置１のクラウド情報受信部８０は、受信したクラウドサーバ情報をＨＤＤ１６に記憶する（ステップＳ５５）。
【００６６】
以下の表２に、病院のサーバ装置１に記憶されるクラウドサーバ情報の一例を示す。
【００６７】
【表２】
2017059913.tif 000004
【００６８】
この表２に示すように、病院のサーバ装置１には、携帯端末３の識別情報、クラウドサーバ装置の連絡先及びクラウドサーバ装置の公開鍵等がそれぞれ関連付けされて記憶される。
【００６９】
次に、病院側で患者の処方箋データが作成されると（ステップＳ５６）、病院のサーバ装置１は、サーバ装置１の無線ＬＡＮ内に携帯端末３が位置しているか否かを判別する（ステップＳ５７）。サーバ装置１の無線ＬＡＮ内に携帯端末３が位置している場合、サーバ装置１は、図２９に示す処方箋データの送信先の選択画面の情報を携帯端末３に送信する（ステップＳ５８）。患者により、この選択画面を介して、「クラウドサーバ装置Ａに送信する」との選択がされた場合（ステップＳ５９）、病院のサーバ装置１は、クラウドサーバ装置７０（クラウドサーバ装置Ａ）の公開鍵で処方箋データを暗号化処理し（ステップＳ６０）、クラウドサーバ装置７０に送信する（ステップＳ６１）。クラウドサーバ装置７０の処方箋受信部８１は、処方箋データを受信してＨＤＤ７５に一旦記憶する（ステップＳ６２）。
【００７０】
次に、クラウドサーバ装置７０は、図３０に示すような病院から処方箋データを受け取ったことを示す通知と共に、送信先となる薬局の選択画面の情報を携帯端末３に送信する（ステップＳ６３）。患者は、処方箋データの送信先となる所望の薬局を選択し、クラウドサーバ装置７０に通知する（ステップＳ６４）。一例として、処方箋データの送信先として、薬局Ａが指定されたとして説明を進める。
【００７１】
送信先として薬局Ａが指定された場合、クラウドサーバ装置７０は、病院から受信した処方箋データを、クラウドサーバ装置７０の秘密鍵で処方箋データを復号化処理し（ステップＳ６５）、復号化処理した処方箋データを、処方箋暗号化部８３が、患者から指定された薬局Ａの公開鍵で処方箋データを暗号化処理し（ステップＳ６６）、薬局Ａの端末装置２Ａに送信する（ステップＳ６７）。また、クラウドサーバ装置７０は、薬局Ａに処方箋データを通知した旨の通知を携帯端末３に送信する（ステップＳ６８）。
【００７２】
クラウドサーバ装置７０から処方箋データを受信した薬局Ａの端末装置２Ａは、薬局Ａの秘密鍵で処方箋データを復号化処理し（ステップＳ６９）、ＨＤＤ１６に記憶する（ステップＳ７０）。そして、薬局Ａの端末装置２Ａの端末送信部５４は、図１２に示す処方箋データをクラウドサーバ装置７０から受け取った旨の通知を、携帯端末３に送信する。端末送信部５４は、第２の機関通知部の一例である。
【００７３】
これに対して、図３０の薬局の選択画面において、「今は送信しない」が選択された場合、携帯端末３から能動的に処方箋データを送る操作を行う必要がある。その場合には、図３１に示すように、患者に所望のクラウドサーバ装置を選択させてもよい。また、上述の携帯端末３に記憶した処方箋データを選択できるようにしてもよい。この場合、上述の図１９、図２０、図２１と同じ流れで処理を行うが、選択画面としては無線ＬＡＮの範囲を検出したものではなく、図３２に示すようにクラウドサーバ装置７０が記憶している各薬局の端末装置２の選択画面を表示すればよい。
【００７４】
このような第２の実施の形態の医療情報処理システムの場合も、上述の第１の実施の形態と同じ効果を得ることができる。
【００７５】
上述の各実施の形態は、例として提示したものであり、本発明の範囲を限定することは意図していない。この新規な各実施の形態は、その他の様々な形態で実施されることが可能であり、発明の要旨を逸脱しない範囲で、種々の省略、置き換え、変更を行うことも可能である。各実施の形態および各実施の形態の変形は、発明の範囲や要旨に含まれると共に、特許請求の範囲に記載された発明とその均等の範囲に含まれる。
【符号の説明】
【００７６】
１  病院のサーバ装置
２Ａ  薬局の端末装置
２Ｂ  薬局の端末装置
４０  携帯登録部
４１  携帯検出部
４２  携帯識別部
４３  端末受信部
４４  処方箋登録部
４５  暗号化部
４６  処方箋送信部
５１  携帯登録部
５２  携帯検出部
５３  携帯識別部
５４  端末送信部
５５  処方箋受信部
５６  処方箋復号部
５７  処方箋登録部
６１  携帯送信部
６２  端末受信部
６３  端末送信部
６４  処方箋受信部
６５  処方箋送信部
【先行技術文献】
【特許文献】
【００７７】
【特許文献１】特開２００２−２４５１６２号公報
【図１】
2017059913.tif 000005
【図２】
2017059913.tif 000006
【図３】
2017059913.tif 000007
【図４】
2017059913.tif 000008
【図５】
2017059913.tif 000009
【図６】
2017059913.tif 000010
【図７】
2017059913.tif 000011
【図８】
2017059913.tif 000012
【図９】
2017059913.tif 000013
【図１０】
2017059913.tif 000014
【図１１】
2017059913.tif 000015
【図１２】
2017059913.tif 000016
【図１３】
2017059913.tif 000017
【図１４】
2017059913.tif 000018
【図１５】
2017059913.tif 000019
【図１６】
2017059913.tif 000020
【図１７】
2017059913.tif 000021
【図１８】
2017059913.tif 000022
【図１９】
2017059913.tif 000023
【図２０】
2017059913.tif 000024
【図２１】
2017059913.tif 000025
【図２２】
2017059913.tif 000026
【図２３】
2017059913.tif 000027
【図２４】
2017059913.tif 000028
【図２５】
2017059913.tif 000029
【図２６】
2017059913.tif 000030
【図２７】
2017059913.tif 000031
【図２８】
2017059913.tif 000032
【図２９】
2017059913.tif 000033
【図３０】
2017059913.tif 000034
【図３１】
2017059913.tif 000035
【図３２】
2017059913.tif 000036